(57)【要約】【課題】回路遮断器の端子部に導体を接続する際、端子カバーで端子部の前面を塞ぐ恐れが少なくなり、端子部に電線を接続し易いものとなる回路遮断器の端子カバー装置を提供する。【解決手段】  器体３を有し、器体３の両端に形成された端子部７を有し、端子部７はそれぞれ器体前面および器体端面に開口５、６を有する回路遮断器１と、端子部７の器体前面の開口５を塞ぐ前面カバー部１２を有し、前面カバー部１２に基端が連設されて器体端面の開口６の一部を塞ぐ端面カバー部１３を有して、回路遮断器１に回動自在に保持され開口５、６を開閉する端子カバー２とを備えた回路遮断器の端子カバー装置において、端子カバー２を開いた状態で前面カバー部１２および端面カバー部１３が回路遮断器１の前面から見た器体前面の開口５を塞がない位置に端子カバー２を保持する開位置保持手段３４を設けている。【選択図】        図１
2005071812.tif 000002
【特許請求の範囲】
【請求項１】
器体を有し前記器体の両端に形成された端子部を有し前記端子部はそれぞれ器体前面および器体端面に開口を有する回路遮断器と、前記端子部の前記器体前面の開口を塞ぐ前面カバー部を有し前記前面カバー部に基端が連設されて前記器体端面の開口の一部を塞ぐ端面カバー部を有して前記回路遮断器に回動自在に保持され前記開口を開閉する端子カバーとを備えた回路遮断器の端子カバー装置において、
前記端子カバーを開いた状態で前記前面カバー部および前記端面カバー部が前記回路遮断器の前面から見た前記器体前面の開口を塞がない位置に前記端子カバーを保持する開位置保持手段を設けたことを特徴とする回路遮断器の端子カバー装置。
【請求項２】
前記端子部はそれぞれ隔壁により前記器体前面および前記器体端面に開口を有する形で区分けされ、
前記回路遮断器は、前記器体の中央部が前記隔壁の前面よりも前面側に突出し、
前記端子カバーは前面カバー部の両側に弾性を有する脚部を設け、前記器体の中央部の両側に前記脚部を回動自在に保持する回動保持部を設けた請求項１記載の回路遮断器の端子カバー装置。
【請求項３】
前記回動保持部は、前記脚部が前記器体の前記中央部の側面に対して面一とする形に切欠形成された請求項２記載の回路遮断器の端子カバー装置。
【請求項４】
前記前面カバー部および前記隔壁に、前記端子カバーが閉状態で封印線が貫通する貫通孔を有した封印線取付部を設けた請求項２または請求項３記載の回路遮断器の端子カバー装置。
【発明の詳細な説明】
【技術分野】
【０００１】
本発明は、回路遮断器の端子部を塞ぐ回路遮断器の端子カバー装置に関するものである。
【背景技術】
【０００２】
従来例として、特許文献１に示すものが存在する。このものは、図９に示すように、隔壁１００により器体前面および器体端面に開口を有する形で区分けした端子部１０２を器体１０１の両側に形成し、器体１０１の中央部を隔壁１０６の前面よりも前面側に突出させた回路遮断器１０３と、端子部１０２の器体前面の開口を塞ぐ前面カバー部１０５およびこの前面カバー部１０５に基端が連設されて端子部１０２の器体端面側の開口の一部を塞ぐ端面カバー部１０６により略L字状に形成されて回路遮断器に回動自在に保持された端子カバー１０７とを備えたものである。
【０００３】
ここで、端子カバー１０７は、回路遮断器１０３の両側隔壁１００に形成された軸孔１０９に軸１１０を嵌装させることにより回路遮断器１０３に対して回動自在に保持されており、端子部１０２に電線を接続する際、端子カバー１０７を回路遮断器１０３から外す必要がなく回転させるだけで行える。
【０００４】
しかしながら、端子カバー１０７を端子部１０２の前面に位置し得る両側隔壁１００に形成された軸孔１０９に軸支させているので、端子カバー１０７を回転させて端子カバー１０７を開いた状態時でも端子カバー１０７の一部で端子部１０２の前面を塞ぐ形となってしまい、しかも端子カバー１０７が倒れて閉じやすく、端子部１０２に電線を接続し難いという問題があった。
【特許文献１】特開平6−139911号公報（第3実施例）
【発明の開示】
【発明が解決しようとする課題】
【０００５】
本願発明は、上記背景技術に鑑みて発明されたものであり、その課題は、回路遮断器の端子部に導体を接続する際、端子カバーで端子部の前面を塞ぐ恐れが少なくなり、端子部に電線を接続し易いものとなる回路遮断器の端子カバー装置を提供することにある。
【課題を解決するための手段】
【０００６】
この発明の回路遮断器の端子カバー装置は、器体を有し前記器体の両端に形成された端子部を有し前記端子部はそれぞれ器体前面および器体端面に開口を有する回路遮断器と、前記端子部の前記器体前面の開口を塞ぐ前面カバー部を有し前記前面カバー部に基端が連設されて前記器体端面の開口の一部を塞ぐ端面カバー部を有して前記回路遮断器に回動自在に保持され前記開口を開閉する端子カバーとを備えた回路遮断器の端子カバー装置において、
前記端子カバーを開いた状態で前記前面カバー部および前記端面カバー部が前記回路遮断器の前面から見た前記器体前面の開口を塞がない位置に前記端子カバーを保持する開位置保持手段を設けたことを特徴とするものである。
【０００７】
上記構成において、前記端子部はそれぞれ隔壁により前記器体前面および前記器体端面に開口を有する形で区分けされ、前記回路遮断器は、前記器体の中央部が前記隔壁の前面よりも前面側に突出し、前記端子カバーは前面カバー部の両側に弾性を有する脚部を設け、前記器体の中央部の両側に前記脚部を回動自在に保持する回動保持部を設けている。
【０００８】
上記構成において、前記回動保持部は、前記脚部が前記器体の前記中央部の側面に対して面一とする形に切欠形成されたものである。
【０００９】
上記構成において、前記前面カバー部および前記隔壁に、前記端子カバーが閉状態で封印線が貫通する貫通孔を有した封印線取付部を設けたものである。
【発明の効果】
【００１０】
この発明の回路遮断器の端子カバー装置によれば、回路遮断器の端子部に導体を接続する際、端子カバーの前面カバー部および端面カバー部で端子部の前面を塞ぐ恐れが少なくなり、端子部に電線を接続し易いものとなる。
【００１１】
また器体の中央部が隔壁の前面よりも前面側に突出し、端子カバーの前面カバー部の両側に弾性を有する脚部を設け、器体の中央部の両側に脚部を回動自在に保持する回動保持部を設けているため、回路遮断器に端子カバーを着脱する作業が容易となる。
【００１２】
前記回動保持部は、前記脚部が前記器体の前記中央部の側面に対して面一とする形に切欠形成されたため、端子カバーの脚部に手を引っ掛けて端子カバーが回路遮断器から外れる恐れを少なくすることができる。
【００１３】
前記前面カバー部および前記隔壁に、前記端子カバーが閉状態で封印線が貫通する貫通孔を有した封印線取付部を設けたため、端子カバーと回路遮断器とを封印線で結んだ状態として端子カバーを回路遮断器に取付けることができ、封印線が外れない限り、端子カバーが回路遮断器から外れなくなる。このため、従来は、封印線が端子カバー同士に接続されているので、衝撃で封印線が緩んで端子カバーが回路遮断器から外れてしまう恐れがあった。
【発明を実施するための最良の形態】
【００１４】
この発明の一実施の形態の回路遮断器の端子カバー装置を図１から図８により説明する。は、回路遮断器１と、端子カバー２を有する。
【００１５】
回路遮断器１は、器体３および端子部７を有する。端子部７は、器体３の両端に形成され、かつ、それぞれ隔壁４により器体前面の開口５および器体端面の開口６を有する形で区分けしている。また器体３の中央部８が隔壁４の前面よりも前面側に突出し、器体３の中央部８の両側で隔壁４の前面よりも前面側に突出した部位に端子カバー２を回動自在に保持する回動保持部９を設けている。この回動保持部９は器体３の中央部８の両側であって中央部８の端面側のコーナ部分に切欠形成されている。実施の形態において回動保持部９には軸受け孔３０を形成している。そして軸受け孔３０の近傍に端子カバー２を閉じ位置に位置決めする例えば三角形状の位置決め突起３３と、開位置保持手段３４として例えば半円柱状の突起を設けている。
【００１６】
実施の形態において、器体３の中央部８の上面にはハンドル２０および漏電テストボタン２１が突出し、漏電表示部２２が出没自在に設けられている。器体３の中央部８の内部には主接点、開閉・トリップ機構、および漏電遮断のための手段（いずれも図示せず）が収納されている。主接点はハンドル２０の操作により開閉・トリップ機構を介してオンオフされる。主接点の固定接点は例えば器体３の一端側の電源側の端子部７に接続され、可動接点は可撓電線等の電路導体を介して異常電流検出手段例えばオイルダッシュポットに接続され、さらに器体３の他端側の負荷側の端子部７に接続され、電路導体が漏電検出手段の例えば零相変流器を貫通している。漏電遮断のための手段の動作により主接点の強制開極と漏電表示部２２の動作が行われる。またテストボタン２１の操作により漏電テストが行われる。
【００１７】
一方端子部７において、隔壁４に端子カバー２が閉状態で封印線が貫通する貫通孔１０を有した封印線取付部１１を設けている。端子部７は隔壁４により区分けされた開口５、６に露出するように端子板２８、押さえ座金２９および端子螺子１６を設けている。
【００１８】
端子カバー２は、端子部７の器体前面の開口５を塞ぐ前面カバー部１２を有し、前面カバー部１２に基端が連設されて器体端面の開口６の一部を塞ぐ端面カバー部１３を有して、回路遮断器１に回動自在に保持され、開口５、６を開閉する。端子カバー２は前面カバー部１２と端面カバー部１３とで略Ｌ字形をなしている。実施の形態では端子カバー２の前面カバー部１２の両側に弾性を有する脚部１４を突設している。この脚部１４は略三角形状に形成され、前面カバー部１２の端面カバー部１３と反対側の両側より、端面カバー部１３と反対向きに突出し、脚部１４の内側面は前面カバー部１２に連接しないように切欠き状の隙間２７を形成し、これにより脚部１４に板厚方向の樹脂弾性を付与している。脚部１４の内側面の頂部に相対向する軸１７を突設し、脚部１４の軸１７の近傍に位置決め孔１８を形成している。軸１７は軸受け孔３０に軸受けされ、このとき脚部１４が器体３の中央部８の側面に対して面一となるように、脚部１４の板厚または回動保持部９の切欠き深さが設定されている。また端子カバー２を軸１７を中心に回動して、位置決め孔１８が位置決め突起３３に係合すると端子カバー２が端子部７に対して閉じた状態となり、開位置保持手段３４の突起に係合すると端子カバー２を開いた状態、すなわち回路遮断器を前面である、ハンドル２０側から見て前面カバー部１２および端面カバー部１３が端子部７の器体前面の開口５を塞がない位置に、端子カバー２を保持することとなる。全面カバー部１２は閉じた状態で端子部７の前面側に整合する孔１５を形成し、端子部７の端子螺子１６の締め状態の確認や、あるいはドライバを挿通して端子螺子１６の締め緩めを行うこともできる。さらに前面カバー部１２に端子カバー２が閉状態で、封印線取付部１１を通す挿通部２４を切欠きにより形成し、かつ貫通孔１０に整合する封印線が貫通する貫通孔２５を有した封印線取付部２６を設けている。端面カバー部１３は端子螺子１６に対応して切欠き状の電線挿通部２３を形成している。
【００１９】
図３から図６は端子カバー２を閉じた状態である。この場合、脚部１４を回動保持部９に差し込むと脚部１４が弾性変形して外に開き軸１７が軸受け孔３０に整合すると弾性復帰して軸１７が軸受け孔３０に嵌合し軸支れる。図３に示すように、位置決め孔１８に位置決め突起３３が嵌合し保持されて閉じた状態となる。前面カバー部１２で器体前面の開口５を塞ぎ、器体端面の開口６を端面カバー部１３で一部塞ぎ、また孔１５に端子螺子１６が整合し、電線挿通部２３に端子螺子１６等が露出している。また図４に示すように封印線４０が封印線取付部１１、２６に通されて結ばれている。
【００２０】
図７および図８は端子カバー２を開いた状態である。このとき、軸受け孔３０に軸支された軸１７を中心に端子カバー２が回動すると、位置決め孔１８が位置決め突起３３から外れて回動保持部３４に係止し、端子カバー２はその状態に保持される。このとき、脚部１４の軸１７を受ける軸受け孔３０が端子部７よりも中央部８側に位置すること、前面カバー部１２と端面カバー部１３が略Ｌ字形をなしており、前面カバー部１２を器体３の中央部８の上面に被さるように、閉位置から約９０度以上回動していること、さらに端面カバー部１３に電線挿通部２３を有することにより器体前面の開口５を遮ることなく端子カバー２が開くことができる。これにより、図８に示すように障害なく端子螺子１６に電線等を接続することが可能となる。
【００２１】
なお、この発明において、軸受け孔３０に代えて軸を設け、軸１７に代えて軸受け孔にしてもよく、突起３３、３４に代えて凹部ないし孔にし、位置決め孔１８に代えて突起にしてもよい。
【図面の簡単な説明】
【００２２】
【図１】この発明の一実施の形態の端子カバーを外した状態の斜視図である。
【図２】回動保持部と脚部を示す分解斜視図である。
【図３】端子カバーを閉じた状態の部分側面図である。
【図４】端子カバーを閉じた状態の外観斜視図である。
【図５】端子部を正面にみた端面図である。
【図６】端子部を示す部分平面図である。
【図７】端子カバーを開いた状態の部分側面図である。
【図８】その部分平面図である。
【図９】（ａ）は従来例の部分斜視図、（ｂ）は端子カバーを外した状態の部分斜視図である。
【符号の説明】
【００２３】
１    回路遮断器
２    端子カバー
３    器体
４    隔壁
５    開口
６    開口
７    端子部
８    中央部
９    開位置保持手段
１０    貫通孔
１１    封印線取付部
１２    前面カバー部
１３    端面カバー部
１４    脚部
１６    端子螺子
１７    軸
１８    位置決め孔
２０    ハンドル
２５    貫通孔
２６    封印線取付部
【図１】
2005071812.tif 000003
【図２】
2005071812.tif 000004
【図３】
2005071812.tif 000005
【図４】
2005071812.tif 000006
【図５】
2005071812.tif 000007
【図６】
2005071812.tif 000008
【図７】
2005071812.tif 000009
【図８】
2005071812.tif 000010
【図９】
2005071812.tif 000011
【手続補正書】
【提出日】平成16年9月8日(2004.9.8)
【手続補正１】
【補正対象書類名】明細書
【補正対象項目名】０００２
【補正方法】変更
【補正の内容】
【０００２】
従来例として、特許文献１に示すものが存在する。このものは、図９に示すように、隔壁１００により器体前面および器体端面に開口を有する形で区分けした端子部１０２を器体１０１の両側に形成し、器体１０１の中央部を隔壁１００の前面よりも前面側に突出させた回路遮断器１０３と、端子部１０２の器体前面の開口を塞ぐ前面カバー部１０５およびこの前面カバー部１０５に基端が連設されて端子部１０２の器体端面側の開口の一部を塞ぐ端面カバー部１０６により略L字状に形成されて回路遮断器に回動自在に保持された端子カバー１０７とを備えたものである。
【手続補正２】
【補正対象書類名】明細書
【補正対象項目名】００１８
【補正方法】変更
【補正の内容】
【００１８】
端子カバー２は、端子部７の器体前面の開口５を塞ぐ前面カバー部１２を有し、前面カバー部１２に基端が連設されて器体端面の開口６の一部を塞ぐ端面カバー部１３を有して、回路遮断器１に回動自在に保持され、開口５、６を開閉する。端子カバー２は前面カバー部１２と端面カバー部１３とで略Ｌ字形をなしている。実施の形態では端子カバー２の前面カバー部１２の両側に弾性を有する脚部１４を突設している。この脚部１４は略三角形状に形成され、前面カバー部１２の端面カバー部１３と反対側の両側より、端面カバー部１３と反対向きに突出し、脚部１４の内側面は前面カバー部１２に連接しないように切欠き状の隙間２７を形成し、これにより脚部１４に板厚方向の樹脂弾性を付与している。脚部１４の内側面の頂部に相対向する軸１７を突設し、脚部１４の軸１７の近傍に位置決め孔１８を形成している。軸１７は軸受け孔３０に軸受けされ、このとき脚部１４が器体３の中央部８の側面に対して面一となるように、脚部１４の板厚または回動保持部９の切欠き深さが設定されている。また端子カバー２を軸１７を中心に回動して、位置決め孔１８が位置決め突起３３に係合すると端子カバー２が端子部７に対して閉じた状態となり、開位置保持手段３４の突起に係合すると端子カバー２を開いた状態、すなわち回路遮断器を前面である、ハンドル２０側から見て前面カバー部１２および端面カバー部１３が端子部７の器体前面の開口５を塞がない位置に、端子カバー２を保持することとなる。前面カバー部１２は閉じた状態で端子部７の前面側に整合する孔１５を形成し、端子部７の端子螺子１６の締め状態の確認や、あるいはドライバを挿通して端子螺子１６の締め緩めを行うこともできる。さらに前面カバー部１２に端子カバー２が閉状態で、封印線取付部１１を通す挿通部２４を切欠きにより形成し、かつ貫通孔１０に整合する封印線が貫通する貫通孔２５を有した封印線取付部２６を設けている。端面カバー部１３は端子螺子１６に対応して切欠き状の電線挿通部２３を形成している。
【手続補正３】
【補正対象書類名】明細書
【補正対象項目名】００１９
【補正方法】変更
【補正の内容】
【００１９】
図３から図６は端子カバー２を閉じた状態である。この場合、脚部１４を回動保持部９に差し込むと脚部１４が弾性変形して外に開き軸１７が軸受け孔３０に整合すると弾性復帰して軸１７が軸受け孔３０に嵌合し軸支される。図３に示すように、位置決め孔１８に位置決め突起３３が嵌合し保持されて閉じた状態となる。前面カバー部１２で器体前面の開口５を塞ぎ、器体端面の開口６を端面カバー部１３で一部塞ぎ、また孔１５に端子螺子１６が整合し、電線挿通部２３に端子螺子１６等が露出している。また図４に示すように封印線４０が封印線取付部１１、２６に通されて結ばれている。
【手続補正４】
【補正対象書類名】明細書
【補正対象項目名】００２０
【補正方法】変更
【補正の内容】
【００２０】
図７および図８は端子カバー２を開いた状態である。このとき、軸受け孔３０に軸支された軸１７を中心に端子カバー２が回動すると、位置決め孔１８が位置決め突起３３から外れて回動保持手段３４に係止し、端子カバー２はその状態に保持される。このとき、脚部１４の軸１７を受ける軸受け孔３０が端子部７よりも中央部８側に位置すること、前面カバー部１２と端面カバー部１３が略Ｌ字形をなしており、前面カバー部１２を器体３の中央部８の上面に被さるように、閉位置から約９０度以上回動していること、さらに端面カバー部１３に電線挿通部２３を有することにより器体前面の開口５を遮ることなく端子カバー２が開くことができる。これにより、図８に示すように障害なく端子螺子１６に電線等を接続することが可能となる。
【手続補正５】
【補正対象書類名】明細書
【補正対象項目名】００２１
【補正方法】変更
【補正の内容】
【００２１】
なお、この発明において、軸受け孔３０に代えて軸を設け、軸１７に代えて軸受け孔にしてもよく、突起３３および回動保持手段３４の突起に代えて凹部ないし孔にし、位置決め孔１８に代えて突起にしてもよい。
【手続補正６】
【補正対象書類名】明細書
【補正対象項目名】００２３
【補正方法】変更
【補正の内容】
【００２３】
１    回路遮断器
２    端子カバー
３    器体
４    隔壁
５    開口
６    開口
７    端子部
８    中央部
９    回動保持部
１０    貫通孔
１１    封印線取付部
１２    前面カバー部
１３    端面カバー部
１４    脚部
１６    端子螺子
１７    軸
１８    位置決め孔
２０    ハンドル
２５    貫通孔
２６    封印線取付部
３４    開位置保持手段
【手続補正７】
【補正対象書類名】図面
【補正対象項目名】図１
【補正方法】変更
【補正の内容】
【図１】
2005071812.tif 000012
【手続補正８】
【補正対象書類名】図面
【補正対象項目名】図２
【補正方法】変更
【補正の内容】
【図２】
2005071812.tif 000013